【手続補正書】
【提出日】平成29年3月14日(2017.3.14)
【手続補正１】
【補正対象書類名】明細書
【補正対象項目名】０１７９
【補正方法】変更
【補正の内容】
【０１７９】
以上に、いくつかの典型的な実施形態を参照して、本発明を説明し示してきたが、本発明の範囲から逸脱することなく、これらの実施形態に様々な改変をすることができる、ということが理解されるべきである。それ故に、本発明は、このような限定が以下の請求項に含まれる場合を除いては、典型的な実施形態の具体的な構成及び方法論に限定されるべきものではない。
以下に、本願発明に関連する発明の実施形態を例示する。
［実施形態１］
有機発光ダイオード又は複数の印刷された発光ダイオードのうち１つを含む、光を生成するための光源；
圧電コーティングを含む、超音波を生成するための超音波トランスデューサ；及び
該光源及び該超音波トランスデューサを支持するための基板、
を含む、皮膚表面に適合可能な光及び超音波トランスデューサデバイス。
［実施形態２］
約３ｍｍ以下の厚さを有する、実施形態１に記載の光及び超音波トランスデューサデバイス。
［実施形態３］
実施形態１に記載の光及び超音波トランスデューサデバイスであって、該デバイスは、該皮膚表面に面する表面を有し、該光源は、該デバイスの該表面にわたって実質的に均一の強度の光を生成し、該超音波トランスデューサは、該デバイスの該表面にわたって実質的に均一の強度の超音波を生成する、光及び超音波トランスデューサデバイス。
［実施形態４］
該デバイスの該表面にわたって生成された該超音波が、３以下のビーム不均一性比を有する、実施形態３に記載の光及び超音波トランスデューサデバイス。
［実施形態５］
該超音波トランスデューサが、２ｋＨｚ〜５００ｋＨｚの範囲の周波数の低周波数超音波及び５００ｋＨｚ〜２０ＭＨｚの範囲の周波数の高周波数超音波のうちの１つ又は両方を生成する、実施形態１に記載の光及び超音波トランスデューサデバイス。
［実施形態６］
該超音波トランスデューサが、低周波数超音波及び高周波数超音波の両方を、同時にか又は順次に生成する２周波数超音波トランスデューサである、実施形態５に記載の光及び超音波トランスデューサデバイス。
［実施形態７］
該光源及び該超音波トランスデューサが、該光及び該超音波を、それぞれ、パルスモード又は連続モードにおいて送達する、実施形態１に記載の光及び超音波トランスデューサデバイス。
［実施形態８］
該デバイスがコントローラーに電気的に結合しており、該コントローラーが該皮膚表面に接触した少なくとも１つのセンサーに電気的に結合しており、該コントローラーが、該センサーからのセンサーデータを受け取り、該受け取られたセンサーデータに応じて該デバイスを動的に制御するよう作動可能である、実施形態１に記載の光及び超音波トランスデューサデバイス。
［実施形態９］
実施形態８に記載の光及び超音波トランスデューサデバイスであって、該コントローラーが、外部制御デバイスとの有線又は無線通信を可能にする通信モジュールに電気的に結合しており、該外部制御デバイスが、該コントローラーを外部から制御するための制御アプリケーションを実行することのできる、スマートフォン、タブレット型コンピューター、及びラップトップコンピューターのうちの１つを含み、該外部制御デバイスがさらにリモートサーバーと通信し、該リモートサーバーに格納された情報に基づいて１又は複数の処置パラメーターを修正する、光及び超音波トランスデューサデバイス。
［実施形態１０］
該デバイスから発せられた該光及び超音波が、該皮膚表面を通り抜けて治療用又は美容用組成物を経皮的輸送させる、実施形態１に記載の光及び超音波トランスデューサデバイス。
［実施形態１１］
該治療用又は美容用組成物が、低分子量又は高分子量ヒアルロン酸、アスコルビン酸（ビタミンＣ）又はα−トコフェロール（ビタミンＥ）又はそれらの誘導体又はそれらの医薬的に許容される塩及びエステルのうち１又は複数を含む、実施形態１０に記載の光及び超音波トランスデューサデバイス。
［実施形態１２］
該デバイスが該皮膚表面に対して非平面接触表面を形成するように、該デバイスが可撓性及び適合可能性を有する、実施形態１に記載の光及び超音波トランスデューサデバイス。
［実施形態１３］
薄い層状構造を有する光及び超音波トランスデューサデバイスであって、
第１の導電性層及び第２の導電性層に電気的に結合している可撓性発光体層を含む光源であって、該可撓性発光体層が、該第１の及び第２の導体に接続された第１の電源によって駆動されると光を発し、該第１の及び第２の導電性層のうち少なくとも１つが透明である、光源；
第３の導電性層及び第４の導電性層に電気的に結合している可撓性超音波エミッタ層を含む超音波トランスデューサであって、該可撓性超音波エミッタ層が、該第３の及び第４の導体に接続された第２の電源によって駆動されると超音波を発する、超音波トランスデューサ；及び
該光源及び該超音波トランスデューサを支持するための可撓性基板層、を含む、光及び超音波トランスデューサデバイス。
［実施形態１４］
さらに可撓性透明ヒータ層を含む、実施形態１３に記載の光及び超音波トランスデューサデバイス。
［実施形態１５］
皮膚表面に電気刺激を与えるための、リターン電極に電気的に結合している電気刺激層をさらに含む、実施形態１３に記載の光及び超音波トランスデューサデバイス。
［実施形態１６］
可撓性プリント回路板層であって、マイクロコントローラー、通信モジュール、及びセンサーエレクトロニクスのうち１又は複数を備え、該可撓性プリント回路板層が少なくとも１つのセンサーに電気的に結合している、可撓性プリント回路板層をさらに含む、実施形態１３に記載の光及び超音波トランスデューサデバイス。
［実施形態１７］
約３ｍｍ以下の厚さを有する、実施形態１３に記載の光及び超音波トランスデューサデバイス。
［実施形態１８］
該デバイスが皮膚表面に面する表面を有し、該光源が該デバイスの該表面にわたって実質的に均一の強度の光を生成し、該超音波トランスデューサが該デバイスの該表面にわたって実質的に均一の強度の超音波を生成する、実施形態１３に記載の光及び超音波トランスデューサデバイス。
［実施形態１９］
該デバイスの該表面にわたって生成された該超音波が、３以下のビーム不均一性比を有する、実施形態１８に記載の光及び超音波トランスデューサデバイス。
［実施形態２０］
該超音波トランスデューサが、２ｋＨｚ〜５００ｋＨｚの範囲の周波数の低周波数超音波及び５００ｋＨｚ〜２０ＭＨｚの範囲の周波数の高周波数超音波のうちの１つ又は両方を生成する、実施形態１３に記載の光及び超音波トランスデューサデバイス。
［実施形態２１］
該超音波トランスデューサが、低周波数超音波及び高周波数超音波の両方を、同時にか又は順次に生成する２周波数超音波トランスデューサである、実施形態２０に記載の光及び超音波トランスデューサデバイス。
［実施形態２２］
該デバイスがコントローラーに電気的に結合しており、該コントローラーが該皮膚表面に接触した少なくとも１つのセンサーに電気的に結合しており、該コントローラーが、該センサーからのセンサーデータを受け取り、該受け取られたセンサーデータに応じて該デバイスを動的に制御するよう作動可能である、実施形態１３に記載の光及び超音波トランスデューサデバイス。
［実施形態２３］
該コントローラーが、外部制御デバイスとの有線又は無線通信を可能にする通信モジュールに電気的に結合しており、該外部制御デバイスが、該コントローラーを外部から制御するための制御アプリケーションを実行することのできる、スマートフォン、タブレット型コンピューター、及びラップトップコンピューターのうち１つを含む、実施形態２２に記載の光及び超音波トランスデューサデバイス。
［実施形態２４］
該デバイスが皮膚表面に対して非平面接触表面を形成するように、該デバイスが可撓性及び適合可能性を有する、実施形態１３に記載の光及び超音波トランスデューサデバイス。
［実施形態２５］
（ａ）第１の導電性層及び第２の導電性層に電気的に結合している可撓性発光体層を含む光源であって、該可撓性発光体層が、該第１の及び第２の導体に接続された電源によって駆動されると光を発し、該第１の及び第２の導電性層のうち少なくとも１つが透明である、光源と；
（ｂ）第３の導電性層及び第４の導電性層に電気的に結合している可撓性超音波エミッタ層を含む超音波トランスデューサであって、該可撓性超音波エミッタ層が、該第３の及び第４の導体に接続された第２の電源によって駆動されると超音波を発する、超音波トランスデューサと；
（ｃ）該光源及び該超音波トランスデューサを支持するための可撓性基板層とを含む、光及び超音波トランスデューサデバイス；及び
皮膚表面に適用される治療用又は美容用組成物、を含むキットであって、
該光及び超音波トランスデューサデバイスから発せられた該光及び超音波が、該皮膚表面を通り抜けて該組成物を経皮的輸送させる、キット。
［実施形態２６］
該組成物が、ゲル、クリーム、軟膏、又はゲル、クリーム若しくは軟膏を組み込んだパッドの形である、実施形態２５に記載のキット。
［実施形態２７］
該治療用又は美容用組成物が、低分子量又は高分子量ヒアルロン酸、アスコルビン酸（ビタミンＣ）又はα−トコフェロール（ビタミンＥ）又はそれらの誘導体又はそれらの医薬的に許容される塩及びエステルのうち１又は複数を含む、実施形態２５に記載のキット。
［実施形態２８］
該電源をさらに含む、実施形態２５に記載のキット。
［実施形態２９］
該デバイスがコントローラーに電気的に結合しており、該コントローラーが該皮膚表面に接触した少なくとも１つのセンサーに電気的に結合しており、該コントローラーが、該センサーからのセンサーデータを受け取り、該受け取られたセンサーデータに応じて該デバイスを動的に制御するよう作動可能である、実施形態２５に記載のキット。
［実施形態３０］
該コントローラーが、外部制御デバイスとの有線又は無線通信を可能にする通信モジュールに電気的に結合しており、該外部制御デバイスが、該コントローラーを外部から制御するための制御アプリケーションを実行することのできる、スマートフォン、タブレット型コンピューター、及びラップトップコンピューターのうち１つを含み、該外部制御デバイスが、さらにリモートサーバーと通信し、該リモートサーバーに格納された情報に基づいて１又は複数の処置パラメーターを修正する、実施形態２９に記載のキット。
［実施形態３１］
皮膚表面にわたって光及び超音波のうち１つ又は両方を送達するためのシステムであって、
（ａ）第１の導電性層及び第２の導電性層に電気的に結合している可撓性発光体層を含む光源であって、該第１の及び第２の導電性層のうち少なくとも１つが透明である、光源；及び（ｂ）第３の導電性層及び第４の導電性層に電気的に結合している可撓性超音波エミッタ層を含む超音波トランスデューサ、のうち１つ又は両方を含む層状構造を有する、デバイス；
該皮膚表面に接触した少なくとも１つのセンサー；及び
該デバイス及び該センサーに電気的に結合しているコントローラーであって、該コントローラーが、該センサーからのセンサーデータを受け取り、該受け取られたセンサーデータに応じて該デバイスを動的に制御するよう作動可能である、コントローラーを含む、システム。
［実施形態３２］
該センサーが、インピーダンス測定センサー、ＲＦＩＤセンサー、デジタル署名センサー、温度センサー、発光スペクトルセンサー、圧力センサー、光強度センサー、赤外線温度センサー、電気的インピーダンスセンサー、超音波送受信装置、皮膚水和センサー、皮膚皮脂レベルセンサー、皮膚メラニン含量センサー、皮膚弾性センサー、皮膚ｐＨセンサー、皮膚色センサー、皮膚光沢センサー、皮膚摩擦センサー、及び皮膚蛍光センサーからなる群から選択される、実施形態３１に記載のシステム。
［実施形態３３］
該コントローラーが、該受け取られたセンサーデータに応じて、該デバイスの動作パラメーターを動的に調整する、実施形態３１に記載のシステム。
［実施形態３４］
該コントローラーが、該光源の始動及び停止、電圧、電流、光波長、パルス幅、変調周波数、デューティファクタ、又は光処置時間を調整することにより、該光源を独立して制御する、実施形態３３に記載のデバイス。
［実施形態３５］
該コントローラーが、該トランスデューサの始動及び停止、超音波処置時間、超音波周波数、又は超音波変調周波数を調整することにより、該超音波トランスデューサを独立して制御する、実施形態３３に記載のデバイス。
［実施形態３６］
該デバイスが、該皮膚表面に面する該デバイスの表面にわたって、実質的に均一の加熱を提供する、可撓性透明ヒータ層をさらに含み、該コントローラーが、該ヒータ層の始動又は停止、電圧、電流、又は該ヒータ層の処置時間を調整することにより、該ヒータ層を独立して制御する、実施形態３３に記載のシステム。
［実施形態３７］
該デバイスが電気刺激層をさらに含み、該コントローラーが、該電気刺激層の始動又は停止、電圧、電流、又は該電気刺激層の処置時間を調整することにより、電気刺激層を独立して制御する、実施形態３３に記載のシステム。
［実施形態３８］
該デバイスが、該コントローラーを備える可撓性プリント回路板層をさらに含む、実施形態３１に記載のシステム。
［実施形態３９］
ヒドロゲルパッド中に含まれ、該皮膚表面に適用される、治療用又は美容用組成物をさらに含み、該デバイスから発せられた該光及び超音波のうち１つ又は両方が、該皮膚表面を通り抜けて該組成物を経皮的輸送させる、実施形態３１に記載のシステム。
［実施形態４０］
該治療用又は美容用組成物が、低分子量又は高分子量ヒアルロン酸、アスコルビン酸（ビタミンＣ）又はα−トコフェロール（ビタミンＥ）又はそれらの誘導体又はそれらの医薬的に許容される塩及びエステルのうち１又は複数を含む、実施形態３９に記載のシステム。
［実施形態４１］
該コントローラーが、外部制御デバイスとの有線又は無線通信を可能にする通信モジュールに電気的に結合しており、該外部制御デバイスが、該コントローラーを外部から制御するための制御アプリケーションを実行することのできる、実施形態３１に記載のシステム。
［実施形態４２］
該外部制御デバイスが、スマートフォン、タブレット型コンピューター、及びラップトップコンピューターのうち１つを含む、実施形態４１に記載のシステム。
［実施形態４３］
皮膚表面にわたって光及び超音波のうち１つ又は両方を送達するためのシステムであって、
（ａ）有機発光ダイオード又は複数の印刷された発光ダイオードのうち１つを含む、光を生成するための光源；及び（ｂ）超音波を生成するための圧電コーティングを含む超音波トランスデューサ、のうち１つ又は両方、を含むデバイス；
該皮膚表面に接触した少なくとも１つのセンサー；及び
該デバイス及び該センサーに電気的に結合しているコントローラーであって、該コントローラーが、該センサーからのセンサーデータを受け取り、該受け取られたセンサーデータに応じて該デバイスを動的に制御するよう作動可能である、コントローラー、を含む、システム。
［実施形態４４］
該センサーが、インピーダンス測定センサー、ＲＦＩＤセンサー、デジタル署名センサー、温度センサー、発光スペクトルセンサー、圧力センサー、光強度センサー、赤外線温度センサー、電気的インピーダンスセンサー、超音波送受信装置、皮膚水和センサー、皮膚皮脂レベルセンサー、皮膚メラニン含量センサー、皮膚弾性センサー、皮膚ｐＨセンサー、皮膚色センサー、皮膚光沢センサー、皮膚摩擦センサー、及び皮膚蛍光センサーからなる群から選択される、実施形態４３に記載のシステム。
［実施形態４５］
該コントローラーが、該受け取られたセンサーデータに応じて、該デバイスの動作パラメーターを動的に調整する、実施形態４３に記載のシステム。
［実施形態４６］
該コントローラーが、該光源の始動及び停止、電圧、電流、光波長、パルス幅、変調周波数、デューティファクタ、又は光処置時間を調整することにより、該光源を独立して制御する、実施形態４５に記載のデバイス。
［実施形態４７］
該コントローラーが、該トランスデューサの始動及び停止、超音波処置時間、超音波周波数、又は超音波変調周波数を調整することにより、該超音波トランスデューサを独立して制御する、実施形態４５に記載のデバイス。
［実施形態４８］
該デバイスが、該皮膚表面に面する該デバイスの表面にわたって、実質的に均一の加熱を提供する、可撓性透明ヒータ層をさらに含み、該コントローラーが、該ヒータ層の始動又は停止、電圧、電流、又は該ヒータ層の処置時間を調整することにより、該ヒータ層を独立して制御する、実施形態４５に記載のシステム。
［実施形態４９］
該デバイスが電気刺激層をさらに含み、該コントローラーが、該電気刺激層の始動又は停止、電圧、電流、又は該電気刺激層の処置時間を調整することにより、該電気刺激層を独立して制御する、実施形態４５に記載のシステム。
［実施形態５０］
該デバイスが、該コントローラーを備える可撓性プリント回路板層をさらに含む、実施形態４３に記載のシステム。
［実施形態５１］
ヒドロゲルパッド中に含まれ、該皮膚表面に適用される、治療用又は美容用組成物をさらに含み、該デバイスにより生成された該光及び超音波のうち１つ又は両方が、該皮膚表面を通り抜けて該組成物を経皮的輸送させる、実施形態４３に記載のシステム。
［実施形態５２］
該治療用又は美容用組成物が、低分子量又は高分子量ヒアルロン酸、アスコルビン酸（ビタミンＣ）又はα−トコフェロール（ビタミンＥ）又はそれらの誘導体又はそれらの医薬的に許容される塩及びエステルのうち１又は複数を含む、実施形態５１に記載のシステム。
［実施形態５３］
該コントローラーが、外部制御デバイスとの有線又は無線通信を可能にする通信モジュールに電気的に結合しており、該外部制御デバイスが該コントローラーを外部から制御するための制御アプリケーションを実行することができ、該外部制御デバイスがさらにリモートサーバーと通信して、該リモートサーバーに格納された情報に基づいて１又は複数の処置パラメーターを修正する、実施形態４３に記載のシステム。
［実施形態５４］
該外部制御デバイスが、スマートフォン、タブレット型コンピューター、及びラップトップコンピューターのうち１つを含む、実施形態５３に記載のシステム。
［実施形態５５］
皮膚表面にわたって光及び超音波のうち１つ又は両方を送達するためのシステムであって、
アレイ状に配置され、可撓性材料により互いに近接して保持された複数のデバイスであって、各デバイスが（ａ）有機発光ダイオード又は複数の印刷された発光ダイオードのうち１つを含む、光を生成するための光源；及び（ｂ）超音波を生成するための圧電コーティングを含む超音波トランスデューサ、のうち１つ又は両方を含む、デバイス；
該デバイスを駆動させるための少なくとも１つの電源；
該皮膚表面に接触した少なくとも１つのセンサー；
複数のコントローラーであって、そのそれぞれが該デバイスのうち１つに電気的に結合している、複数のコントローラー；
該センサー及び該コントローラーのそれぞれに電気的に結合したメインコントローラーであって、該メインコントローラーが、該センサーからのセンサーデータを受け取り、該デバイスを、該コントローラーを通じて、該受け取られたセンサーデータに応じて動的に制御するよう作動可能である、メインコントローラー、
を含む、システム。
［実施形態５６］
該メインコントローラーが、各デバイスの動作パラメーターを、該受け取られたセンサーデータに応じて動的に調整する、実施形態５５に記載のシステム。
［実施形態５７］
実施形態５５に記載のシステムであって、ヒドロゲルパッド中に含まれ、該皮膚表面に適用される、治療用又は美容用組成物をさらに含み、各デバイスにより生成された該光及び超音波のうち１つ又は両方が、該皮膚表面を通り抜けて該組成物を経皮的輸送させる、システム。
［実施形態５８］
該治療用又は美容用組成物が、低分子量又は高分子量ヒアルロン酸、アスコルビン酸（ビタミンＣ）又はα−トコフェロール（ビタミンＥ）又はそれらの誘導体又はそれらの医薬的に許容される塩及びエステルのうち１又は複数を含む、実施形態５７に記載のシステム。
［実施形態５９］
該メインコントローラーが、外部制御デバイスとの有線又は無線通信を可能にする通信モジュールに電気的に結合しており、該外部制御デバイスが、該メインコントローラーを外部から制御するための制御アプリケーションを実行することができ、該外部制御デバイスが、さらにリモートサーバーと通信し、該リモートサーバーに格納された情報に基づいて１又は複数の処置パラメーターを修正する、実施形態５５に記載のシステム。
［実施形態６０］
該外部制御デバイスが、スマートフォン、タブレット型コンピューター、及びラップトップコンピューターのうち１つを含む、実施形態５９に記載のシステム。
【手続補正２】
【補正対象書類名】特許請求の範囲
【補正対象項目名】全文
【補正方法】変更
【補正の内容】
【特許請求の範囲】
【請求項１】
皮膚表面に光及び超音波を送達するための薄い層状構造を有する光及び超音波トランスデューサデバイスであって、
透明導電性層と少なくとも２つの他の導電性層とを含む、複数の可撓性導電性層；
該透明導電性層と該他の導電性層の１つとの間に配置された可撓性発光体層を含む光源であって、該可撓性発光体層が、該透明導電性層と該他の導電性層の１つに接続された第１の電源によって駆動されると光を発する、光源；
該他の導電性層のうちの２つの間に配置された可撓性超音波エミッタ層を含む超音波トランスデューサであって、該可撓性超音波エミッタ層が、該他の導電性層のうちの２つに接続された第２の電源によって駆動されると超音波を発する、超音波トランスデューサ；及び
該可撓性発光体層、該可撓性超音波エミッタ層、及び該可撓性導電性層を支持するための可撓性基板層、
を含み、該デバイスは皮膚表面に対して非平面接触表面を形成するように可撓性である、光及び超音波トランスデューサデバイス。
【請求項２】
さらに可撓性透明ヒータ層を含む、請求項１に記載の光及び超音波トランスデューサデバイス。
【請求項３】
皮膚表面に電気刺激を与えるための、リターン電極に電気的に結合している電気刺激層をさらに含む、請求項１に記載の光及び超音波トランスデューサデバイス。
【請求項４】
可撓性プリント回路板層であって、マイクロコントローラー、通信モジュール、及びセンサーエレクトロニクスのうち１又は複数を備え、該可撓性プリント回路板層が少なくとも１つのセンサーに電気的に結合している、可撓性プリント回路板層をさらに含む、請求項１に記載の光及び超音波トランスデューサデバイス。
【請求項５】
約３ｍｍ以下の厚さを有する、請求項１に記載の光及び超音波トランスデューサデバイス。
【請求項６】
該デバイスが皮膚表面に面する表面を有し、該可撓性発光体層が該デバイスの該表面にわたって実質的に均一の強度の光を生成する、有機発光ダイオード又は複数の印刷された発光ダイオードのうちの１つを含み、該可撓性超音波エミッタ層が該デバイスの該表面にわたって実質的に均一の強度の超音波を生成する圧電コーティングを含む、請求項１に記載の光及び超音波トランスデューサデバイス。
【請求項７】
該デバイスの該表面にわたって生成された該超音波が、３以下のビーム不均一性比を有する、請求項６に記載の光及び超音波トランスデューサデバイス。
【請求項８】
該超音波トランスデューサが、２ｋＨｚ〜５００ｋＨｚの範囲の周波数の低周波数超音波及び５００ｋＨｚ〜２０ＭＨｚの範囲の周波数の高周波数超音波のうちの１つ又は両方を生成する、請求項１に記載の光及び超音波トランスデューサデバイス。
【請求項９】
該超音波トランスデューサが、低周波数超音波及び高周波数超音波の両方を、同時にか又は順次に生成する２周波数超音波トランスデューサである、請求項８に記載の光及び超音波トランスデューサデバイス。
【請求項１０】
該デバイスがコントローラーに電気的に結合しており、該コントローラーが該皮膚表面に接触した少なくとも１つのセンサーに電気的に結合しており、該コントローラーが、該センサーからのセンサーデータを受け取り、該受け取られたセンサーデータに応じて該デバイスを動的に制御するよう作動可能である、請求項１に記載の光及び超音波トランスデューサデバイス。
【請求項１１】
該コントローラーが、外部制御デバイスとの有線又は無線通信を可能にする通信モジュールに電気的に結合しており、該外部制御デバイスが、該コントローラーを外部から制御するための制御アプリケーションを実行することのできる、スマートフォン、タブレット型コンピューター、及びラップトップコンピューターのうち１つを含む、請求項１０に記載の光及び超音波トランスデューサデバイス。
【請求項１２】
該デバイスが皮膚表面に対して適合可能性を有する、請求項１に記載の光及び超音波トランスデューサデバイス。
【請求項１３】
請求項１に記載の光及び超音波トランスデューサデバイス；及び
皮膚表面に適用される治療用又は美容用組成物、
を含むキットであって、
該光及び超音波トランスデューサデバイスから発せられた該光及び超音波が、該皮膚表面を通り抜けて該組成物を経皮的輸送させる、キット。
【請求項１４】
該治療用又は美容用組成物が、ゲル、クリーム、軟膏、又はゲル、クリーム若しくは軟膏を組み込んだパッドの形である、請求項１３に記載のキット。
【請求項１５】
該治療用又は美容用組成物が、低分子量又は高分子量ヒアルロン酸、アスコルビン酸（ビタミンＣ）又はα−トコフェロール（ビタミンＥ）又はそれらの誘導体又はそれらの医薬的に許容される塩及びエステルのうち１又は複数を含む、請求項１３に記載のキット。
【請求項１６】
該第１及び第２の電源の１つ又は両方をさらに含む、請求項１３に記載のキット。
【請求項１７】
皮膚表面にわたって光及び超音波のうち１つ又は両方を送達して、治療用又は美容用組成物を該皮膚表面を通り抜けて経皮的輸送させるためのシステムであって、
（ａ）光を生成するための光源であって、該光源は有機発光ダイオード又は複数の印刷された発光ダイオードのうち１つを含む可撓性発光体層を含み、該可撓性発光体層は第１の導電性層及び第２の導電性層に電気的に結合しており、該第１の及び第２の導電性層のうち少なくとも１つが透明である、光源；及び（ｂ）超音波を生成するための超音波トランスデューサであって、該超音波トランスデューサは圧電コーティングを含む可撓性超音波エミッタ層を含み、該可撓性超音波エミッタ層は第３の導電性層及び第４の導電性層に電気的に結合している、超音波トランスデューサ、のうち１つ又は両方を含む層状構造を有する、デバイス；
該皮膚表面に接触した少なくとも１つのセンサー；及び
該デバイス及び該センサーに電気的に結合しているコントローラーであって、該コントローラーが、該センサーからのセンサーデータを受け取り、該受け取られたセンサーデータに応じて該デバイスを動的に制御するよう作動可能である、コントローラー；
を含む、システム。
【請求項１８】
該センサーが、インピーダンス測定センサー、ＲＦＩＤセンサー、デジタル署名センサー、温度センサー、発光スペクトルセンサー、圧力センサー、光強度センサー、赤外線温度センサー、電気的インピーダンスセンサー、超音波送受信装置、皮膚水和センサー、皮膚皮脂レベルセンサー、皮膚メラニン含量センサー、皮膚弾性センサー、皮膚ｐＨセンサー、皮膚色センサー、皮膚光沢センサー、皮膚摩擦センサー、及び皮膚蛍光センサーからなる群から選択される、請求項１７に記載のシステム。
【請求項１９】
該コントローラーが、該受け取られたセンサーデータに応じて、該デバイスの動作パラメーターを動的に調整する、請求項１７に記載のシステム。
【請求項２０】
該コントローラーが、該光源の始動及び停止、電圧、電流、光波長、パルス幅、変調周波数、デューティファクタ、又は光処置時間を調整することにより、該光源を独立して制御する、請求項１９に記載のデバイス。
【請求項２１】
該コントローラーが、該トランスデューサの始動及び停止、超音波処置時間、超音波周波数、又は超音波変調周波数を調整することにより、該超音波トランスデューサを独立して制御する、請求項１９に記載のデバイス。
【請求項２２】
該デバイスが、該皮膚表面に面する該デバイスの表面にわたって、実質的に均一の加熱を提供する、可撓性透明ヒータ層をさらに含み、該コントローラーが、該ヒータ層の始動又は停止、電圧、電流、又は該ヒータ層の処置時間を調整することにより、該ヒータ層を独立して制御する、請求項１９に記載のシステム。
【請求項２３】
該デバイスが電気刺激層をさらに含み、該コントローラーが、該電気刺激層の始動又は停止、電圧、電流、又は該電気刺激層の処置時間を調整することにより、電気刺激層を独立して制御する、請求項１９に記載のシステム。
【請求項２４】
該デバイスが、該コントローラーを備える可撓性プリント回路板層をさらに含む、請求項１７に記載のシステム。
【請求項２５】
該治療用又は美容用組成物がヒドロゲルパッド中に含まれて皮膚表面に適用される、請求項１７に記載のシステム。
【請求項２６】
該治療用又は美容用組成物が、低分子量又は高分子量ヒアルロン酸、アスコルビン酸（ビタミンＣ）又はα−トコフェロール（ビタミンＥ）又はそれらの誘導体又はそれらの医薬的に許容される塩及びエステルのうち１又は複数を含む、請求項２５に記載のシステム。
【請求項２７】
該コントローラーが、外部制御デバイスとの有線又は無線通信を可能にする通信モジュールに電気的に結合しており、該外部制御デバイスが、該コントローラーを外部から制御するための制御アプリケーションを実行することのできる、請求項１７に記載のシステム。
【請求項２８】
該外部制御デバイスが、スマートフォン、タブレット型コンピューター、及びラップトップコンピューターのうち１つを含む、請求項２７に記載のシステム。
【請求項２９】
皮膚表面にわたって光及び超音波のうち１つ又は両方を送達して、治療用又は美容用組成物を該皮膚表面を通り抜けて経皮的輸送させるためのシステムであって、
（ａ）光を生成するための光源であって、該光源は有機発光ダイオード又は複数の印刷された発光ダイオードのうち１つを含む可撓性発光体層を含み、該可撓性発光体層は第１の導電性層及び第２の導電性層に電気的に結合しており、該第１の及び第２の導電性層のうち少なくとも１つが透明である、光源；及び（ｂ）超音波を生成するための超音波トランスデューサであって、該超音波トランスデューサは圧電コーティングを含む可撓性超音波エミッタ層を含み、該可撓性超音波エミッタ層は第３の導電性層及び第４の導電性層に電気的に結合している、超音波トランスデューサ；のうち１つ又は両方、を含む可撓性デバイス；
該デバイスを制御するように作動可能なコントローラー；及び
該コントローラーに電気的に結合している通信モジュールであって、該通信モジュールは外部制御デバイスとの有線又は無線通信を可能にするものであり、該外部制御デバイスは該コントローラーを外部から制御するための制御アプリケーションを実行するものである、通信モジュール、
を含む、システム。
【請求項３０】
皮膚表面に接触する少なくとも１つのセンサーをさらに含み、該コントローラーが、該センサーからのセンサーデータを受け取り、かつ、該センサーデータを該外部制御デバイスに該通信モジュールを介して該外部制御デバイスへ伝送するように作動可能である、請求項２９に記載のシステム。
【請求項３１】
該コントローラーが、該受け取られたセンサーデータに応じて、該デバイスの動作パラメーターを動的に調整する、請求項３０に記載のシステム。
【請求項３２】
該コントローラーが、該光源の始動及び停止、電圧、電流、光波長、パルス幅、変調周波数、デューティファクタ、又は光処置時間を調整することにより、該光源を独立して制御する、請求項３１に記載のデバイス。
【請求項３３】
該コントローラーが、該トランスデューサの始動及び停止、超音波処置時間、超音波周波数、又は超音波変調周波数を調整することにより、該超音波トランスデューサを独立して制御する、請求項３１に記載のデバイス。
【請求項３４】
該デバイスが、該皮膚表面に面する該デバイスの表面にわたって、実質的に均一の加熱を提供する、可撓性透明ヒータ層をさらに含み、該コントローラーが、該ヒータ層の始動又は停止、電圧、電流、又は該ヒータ層の処置時間を調整することにより、該ヒータ層を独立して制御する、請求項３１に記載のシステム。
【請求項３５】
該デバイスが電気刺激層をさらに含み、該コントローラーが、該電気刺激層の始動又は停止、電圧、電流、又は該電気刺激層の処置時間を調整することにより、該電気刺激層を独立して制御する、請求項３１に記載のシステム。
【請求項３６】
該デバイスが、該コントローラーを備える可撓性プリント回路板層をさらに含む、請求項２９に記載のシステム。
【請求項３７】
ヒドロゲルパッド中に含まれ、該皮膚表面に適用される、治療用又は美容用組成物をさらに含み、該デバイスにより生成された該光及び超音波のうち１つ又は両方が、該皮膚表面を通り抜けて該組成物を経皮的輸送させる、請求項２９に記載のシステム。
【請求項３８】
該治療用又は美容用組成物が、低分子量又は高分子量ヒアルロン酸、アスコルビン酸（ビタミンＣ）又はα−トコフェロール（ビタミンＥ）又はそれらの誘導体又はそれらの医薬的に許容される塩及びエステルのうち１又は複数を含む、請求項３７に記載のシステム。
【請求項３９】
該外部制御デバイスがさらにリモートサーバーと通信して、（ｉ）少なくとも１つの処置のお勧めを提供するか、又は、（ｉｉ）該リモートサーバーに格納された情報に基づいて１又は複数の処置パラメーターを修正する、請求項２９に記載のシステム。
【請求項４０】
該外部制御デバイスが、スマートフォン、タブレット型コンピューター、及びラップトップコンピューターのうち１つを含む、請求項３９に記載のシステム。
【請求項４１】
該センサーデータが、（ａ）該デバイスによって生成される光及び超音波の１つ又は両方の適用量を制御するため、又は、（ｂ）少なくとも１つの処置のお勧めを提供するために用いられる、請求項１７に記載のシステム。